(57)【特許請求の範囲】
【請求項１】
少なくとも一つ以上の動画像データを参照するための前記各動画像データに対応して単一に表示されるインデックス画像に対して、ユーザによって入力された入力コードを登録する手段と、前記インデックス画像に対して登録された入力コードを読み出す手段と、前記入力コードと前記インデックス画像が参照している動画像データの編集方法とが対応付けられて登録されているコード登録テーブルと、前記読み出された入力コードに対応した編集方法を前記コード登録テーブルより検索する手段と、前記インデックス画像が参照している動画像データを前記検索された編集方法に従って編集する手段とを備えたことを特徴とする動画像処理装置。
【請求項２】
少なくとも一つ以上の動画像データを参照するための前記各動画像データに対応して単一に表示されるインデックス画像に対して、ユーザによって入力された入力コードを登録する手段と、前記インデックス画像に対して登録された入力コードを読み出す手段と、前記入力コードと前記インデックス画像が参照している動画像データの再生方法とが対応付けられて登録されているコード登録テーブルと、前記読み出された入力コードに対応した再生方法を前記コード登録テーブルより検索する手段と、前記インデックス画像が参照している動画像データを前記検索された再生方法に従って再生する手段とを備えたことを特徴とする動画像処理装置。
【請求項３】
少なくとも一つ以上の動画像データを参照するための前記各動画像データに対応して単一に表示されるインデックス画像に対して、ユーザによって入力された入力コードを登録する手段と、前記インデックス画像に対して登録された入力コードを読み出す手段と、前記入力コードと前記インデックス画像が参照している動画像データの付加データとが対応付けられて登録されているコード登録テーブルと、前記読み出された入力コードに対応した付加データを前記コード登録テーブルより検索する手段と、前記検索された付加データを前記インデックス画像が参照している動画像データに同期させて再生する手段とを備えたことを特徴とする動画像処理装置。
【請求項４】
前記請求項１乃至３のいずれかに記載の動画像処理装置において、ユーザによって新規に作成された入力コードと、該入力コードに対応付けられた編集方法、再生方法又は付加データとを、前記コード登録テーブルに登録する手段を設けたことを特徴とする動画像処理装置。
【請求項５】
前記請求項１乃至３のいずれかに記載の動画像処理装置において、少なくとも前記インデックス画像の画像データ、前記動画像データ及び手書きコード入力装置によって入力された手書き入力コードを記憶する記憶装置と、前記記憶装置に記憶されている前記画像データ、前記動画像データ又は前記手書き入力コードの各再生画像を切り替えて表示可能な画像表示装置とを備えたことを特徴とする動画像処理装置。
【請求項６】
前記請求項５に記載の動画像処理装置において、前記画像表示装置によって表示される前記インデックス画像の画像データの再生画像上に、前記手書き入力コードの再生画像がスーパーインポーズされることを特徴とする動画像処理装置。
【発明の詳細な説明】
【０００１】
【発明の属する技術分野】
本発明は、動画像データを処理する動画像処理装置に関し、特に動画像データを参照するためのインデックス画像に対して、ユーザによる入力コードを付加することで、ユーザが所望する動画像データを容易に作成・再生することが可能な動画像処理装置に関するものである。
【０００２】
【従来の技術】
近年、携帯用ビデオカメラや８ミリカメラなどの普及により、誰でも容易に映像を撮影できるようになってきた。しかし、映像作品として完成させるためには、撮影してきた動画像データ（素材データ）を見やすい順序に並べ直したり、表題や説明を挿入したり、音楽を付加するなどの編集処理を行う必要がある。
【０００３】
一般に、動画像データは、図１１に示すように、連続した静止画像データ（フレームデータ）の集合から構成されており、各フレームは時間軸方向に従って、順番に再生される。
【０００４】
このような形式の動画像データに対する編集装置として、例えば特開平４−１１７６８６号公報には、ユーザが複数の素材データより、各素材データを代表するフレーム（インデックス画像）を取り出して、それらのインデックス画像を一覧表示し、素材データを再生する順序に従って、各素材データに対応したインデックス画像を再生順序テーブルに登録し、登録されたインデックス画像の順序に従って、各インデックス画像の示す動画像データを時系列的に再生することで、ユーザが所望する動画像データを得るものが提案されている。
【０００５】
【発明が解決しようとする課題】
しかしながら、上述した従来の動画像編集装置においては、素材データの数だけインデックス画像を表示装置に一覧表示させる必要があり、それらインデックス画像を表示するための十分大きな表示装置が必要となるので、表示面積の大きな表示装置を実装することが難しい携帯用機器には適用し難いという問題があった。
【０００６】
また、前記従来の動画像編集装置においては、インデックス画像を縮小することにより、表示面積が小さい表示装置にも多くのインデックス画像を表示することが可能となるが、インデックス画像を小さくすると見づらくなるだけでなく、インデックス画像が示す画像データの内容が分かりづらくなり、使い勝手が悪いという問題があった。
【０００７】
本発明は、上記課題に鑑みてなされたものであり、単一のインデックス画像を表示し、そのインデックス画像に対して、ユーザが入力コードを登録することにより、表示面積の小さな表示装置を用いた場合であっても、容易に動画像の編集作業等を行うことが可能な動画像処理装置を提供するものである。
【０００８】
【課題を解決するための手段】
本願の第１の発明は、少なくとも一つ以上の動画像データを参照するための前記各動画像データに対応して単一に表示されるインデックス画像に対して、ユーザによって入力された入力コードを登録する手段と、前記インデックス画像に対して登録された入力コードを読み出す手段と、前記入力コードと前記インデックス画像が参照している動画像データの編集方法とが対応付けられて登録されているコード登録テーブルと、前記読み出された入力コードに対応した編集方法を前記コード登録テーブルより検索する手段と、前記インデックス画像が参照している動画像データを前記検索された編集方法に従って編集する手段とを備えたことを特徴とする。
【０００９】
本願の第２の発明は、少なくとも一つ以上の動画像データを参照するための前記各動画像データに対応して単一に表示されるインデックス画像に対して、ユーザによって入力された入力コードを登録する手段と、前記インデックス画像に対して登録された入力コードを読み出す手段と、前記入力コードと前記インデックス画像が参照している動画像データの再生方法とが対応付けられて登録されているコード登録テーブルと、前記読み出された入力コードに対応した再生方法を前記コード登録テーブルより検索する手段と、前記インデックス画像が参照している動画像データを前記検索された再生方法に従って再生する手段とを備えたことを特徴とする。
【００１０】
本願の第３の発明は、少なくとも一つ以上の動画像データを参照するための前記各動画像データに対応して単一に表示されるインデックス画像に対して、ユーザによって入力された入力コードを登録する手段と、前記インデックス画像に対して登録された入力コードを読み出す手段と、前記入力コードと前記インデックス画像が参照している動画像データの付加データとが対応付けられて登録されているコード登録テーブルと、前記読み出された入力コードに対応した付加データを前記コード登録テーブルより検索する手段と、前記検索された付加データを前記インデックス画像が参照している動画像データに同期させて再生する手段とを備えたことを特徴とする。
【００１１】
上記各各動画像処理装置において、さらに、ユーザによって新規に作成された入力コードと、該入力コードに対応付けられた編集方法、再生方法又は付加データとを、前記コード登録テーブルに登録する手段を設けたことを特徴とする。また、上記各動画像処理装置において、少なくとも前記インデックス画像の画像データ、前記動画像データ及び手書きコード入力装置によって入力された手書き入力コードを記憶する記憶装置と、前記記憶装置に記憶されている前記画像データ、前記動画像データ又は前記手書き入力コードの各再生画像を切り替えて表示可能な画像表示装置とを備えたことを特徴とする。更に、この動画像処理装置において、前記画像表示装置によって表示される前記インデックス画像の画像データの再生画像上に、前記手書き入力コードの再生画像がスーパーインポーズされることを特徴とする。
【００１２】
【発明の実施の形態】
以下、本発明の動画像処理装置の第１実施形態を、図１乃至図８とともに詳細に説明する。
【００１３】
図１は本実施形態の動画像処理装置の概略構成を示すプロック図である。図１において、指示入力装置１０は、編集及び再生の開始・終了の指示を入力するためのコントローラであり、入力された指示は、編集制御装置１８へ出力されるようになっている。
【００１４】
手書コード入力装置１１は、ユーザが手書入力コードを入力するタッチパネル等の入力装置であり、入力された手書入力コードは、編集制御装置１８を介して、記憶装置１７に記憶されるようになっている。
【００１５】
尚、ここでは、ユーザの手書きによってコードを入力するように構成しているが、これに限らず、例えばキーボード，マウス等を用いて、所望のコードを入力するようにしても良いことは言うまでもない。
【００１６】
手書コード再生装置１２は、記憶装置１７に記憶されている手書入力コードを画像表示装置１４で表示することができる形態に再生し、画像表示装置１４へ出力するようになっている。
【００１７】
また、インデックス画像再生装置１３は、記憶装置１７に記憶されているインデックス画像データを画像表示装置１４で表示することができる形態に再生し、画像表示装置１４へ出力するようになっている。ここで、インデックス画像とは、記憶装置１７に記憶されている少なくとも一つ以上の動画像データを参照するための代表画像を指す。
【００１８】
尚、本実施形態においては、記憶装置１７に記憶されている複数のインデックス画像データから、１つのインデックス画像データを任意に選択して、画像表示装置１４で表示するように構成している。
【００１９】
動画像再生装置１６は、記憶装置１７に記憶されている動画像データを画像表示装置１４で表示することができる形態に再生し、画像表示装置１４へ出力するようになっている。
【００２０】
ここで、画像表示装置１４としては、ＣＲＴ，液晶ディスプレイ等が用いられ、インデックス画像再生装置１３から出力されたインデックス画像上に、手書コード再生装置１２から出力された手書入力コード画像がスーパーインポーズされるようになっている。
【００２１】
また、画像表示装置１４へ表示するデータとしては、動画像データ又はインデックス画像データを切り替えることができるようになっている。
【００２２】
手書コード登録テーブル１５には、手書入力コードと編集方法とが対応付けられて格納されており、手書入力コードを指定することによって、それに対応する編集方法を検索することができるようになっている。
【００２３】
手書コード判定装置１９は、手書き文字認識機能を利用することで、編集制御装置１８から入力された手書入力コードに対応する編集方法を、手書コード登録テーブル１５から検索して、検索された編集方法を編集制御装置１８へ出力するようになっている。
【００２４】
編集制御装置１８は、記憶装置１７に格納されている動画像データ及びインデックス画像データを読み込み、それぞれ動画像再生装置１６、インデックス画像再生装置１３へ出力することにより、動画像データ又はインデックス画像データを再生するようになっている。
【００２５】
また、編集制御装置１８は、手書コード入力装置１１から入力された手書入力コードを記憶装置１７へ記憶するようになっている。さらに、入力された手書コードは、記録装置１７へ記録されるだけでなく、手書コード再生装置１２へも出力され、画像表示装置１４へ手書入力コードが表示されるため、ユーザは入力した手書入力コードを確認することが可能となっている。
【００２６】
そしてまた、記憶装置１７に格納されている手書入力コードを読み込み、それを手書コード判定装置１９へ出力することによって、その手書入力コードに対応した編集方法が得られるようになっており、得られた編集方法に応じて、記憶装置１７に記憶されている動画像データを編集するようになっている。
【００２７】
ここで、記憶装置１７としては、光ディスク装置や磁気ディスク装置，磁気テープ装置あるいはメモリカードなどを用いることが可能であり、また、記憶装置１７には、動画像データ，インデックス画像データ，音声データ，手書コード，文字データ及びこれらに付随した情報などの各種データが記憶されるものとする。
【００２８】
さらに、記憶装置１７は、前記の動画像データ，インデックス画像データ，手書コード，音声データ，文字データ及びこれらに付随した情報に対して、それらの記憶装置１７内での格納位置及びサイズを管理するファイル管理システムを備えており、編集制御装置１８からファイル名等のデータ識別コードを指定することにより、任意のデータを適切に取得することができるようになっている。
【００２９】
図２は本実施形態における手書コード登録テーブル１５を示す説明図である。手書コード登録テーブル１５は、手書コード欄２ａと編集方法欄２ｂとから構成されており、手書コード欄２ａに格納された各手書入力コードと編集方法欄２ｂに格納された各編集方法とは、それぞれ互いに参照できる関係にあり、ある手書入力コードを指定することで、その手書入力コードに対応した編集方法を特定することが可能である。
【００３０】
例えば、図２において、手書入力コード２ａ１の“・”マークに対応する編集方法として、編集方法２ｂ１の「参照先の動画像データを最初に再生する」を参照することができる。
【００３１】
尚、前記手書コード登録テーブル１５において、手書入力コードに対応した編集方法が見つからなかった場合は、編集方法２ｂ３の「なにも行わない」が選択される。
【００３２】
ここで、手書コード登録テーブル１５の編集方法欄２ｂへ格納されるものとして、編集の処理手順を記述したテキスト文書、或いは、編集処理を行うコンピュータ言語など、編集が可能な記述ならば任意の記述を用いることができる。
【００３３】
また、ユーザによって新規に作成された手書入力コードを、前記手書コード登録テーブル１５に格納されている編集方式との参照関係を付加して、前記手書コード登録テーブル１５に登録することも可能としている。これによって、ユーザが編集方式を想起しやすいコードを用いて、編集することが可能となるので、編集効率を高めることができる。
【００３４】
次に、図３は本実施形態における記憶装置１７に記憶されている動画像データの構造を示す説明図である。動画像データは少なくとも一つ以上のフレームより構成され、図３において、動画像データ３０は、一連のフレームＦ３１，Ｆ３２，Ｆ３３，…，Ｆ３ｎ（ｎは整数）から構成されている。
【００３５】
また、各動画像データには、記憶装置１７内で固有のデータ識別コードが与えられており、データ識別コードを指定することで、任意の動画像データを記憶装置１７より読み出すことができる。
【００３６】
図４は記憶装置１７に記憶されている動画像データとそれを参照しているインデックス画像データとの関係を管理する構造（インデックスエントリ）を示す説明図である。
【００３７】
図４において、インデックスエントリ４０はインデックス画像データ格納領域４１，手書コード格納領域４２，動画像識別情報格納領域４３から構成され、インデックス画像データ格納領域４１には、インデックスエントリ４０が参照している動画像データのインデックス画像が格納される。
【００３８】
手書コード格納領域４２は、ユーザによって入力された手書入力コードを格納するための領域である。動画像識別情報格納領域４３には、インデックスエントリ４０が参照している動画像データのデータ識別コードが格納されている。
【００３９】
ここで、全てのインデックスエントリは、図５に示すように、記憶装置１７内で固有のデータ識別コードが与えられたテーブル（インデックスエントリテーブル）にまとめて記憶されており、インデックスエントリテーブルに登録されたインデックスエントリには、各々０から始まり連続して増加する固有の登録番号が割り当てられる。
【００４０】
そのため、インデックスエントリテーブル内の登録番号を指定することで、任意のインデックスエントリを取得することができるようになっている。また、インデックス画像データ格納領域内のインデックス画像には、動画像データ内の任意のフレームを用いることができる。
【００４１】
特に、インデックス画像として動画像データの内容を容易かつ詳細に知ることのできるフレームを用いることで、編集時に動画像データを再生してその内容を確かめる必要がなくなるため、編集作業の効率を向上させることができる。
【００４２】
さらに、図６は本実施形態を用いて、動画像データＶ１と動画像データＶ２とを編集した場合を示す説明図である。ここで、動画像データＶ１は、一連のフレームＶ１Ｆ１，Ｖ１Ｆ２，Ｖ１Ｆ３から構成され、動画像データＶ２は、一連のフレームＶ２Ｆ１，Ｖ２Ｆ２，Ｖ２Ｆ３から構成されている。
【００４３】
また、動画像データＶ１及びＶ２は、それぞれインデックスエントリＩ１及びＩ２から参照されており、インデックスエントリＩ１は、インデックス画像データ格納領域Ｉ１Ｐ、手書コード格納領域Ｉ１Ｃ、動画像識別情報格納領域Ｉ１Ｌから構成されている。
【００４４】
同様に、インデックスエントリＩ２は、インデックス画像データ格納領域Ｉ２Ｐ、手書コード格納領域Ｉ２Ｃ、動画像識別情報格納領域Ｉ２Ｌから構成されている。
【００４５】
次に、図６の動画像データＶ１，Ｖ２において、動画像データＶ２を最初に再生し、続けて動画像データＶ１を再生するように編集する手順を、図７のフローチャートを参照して説明する。
【００４６】
まず、指示入力装置１０より、最初に再生する動画像データＶ２を参照しているインデックスエントリＩ２に対して編集する指示を編集制御装置１８へ入力すると、インデックスエントリＩ２が記憶装置１７より読み出される（ステップ７０１）。
【００４７】
そして、インデックスエントリＩ２のインデックス画像データ格納領域Ｉ２Ｐに格納されているインデックス画像データが画像表示装置１４に表示される（ステップ７０２）。
【００４８】
次に、手書コード入力装置１１より、「参照先の動画像データを最初に再生する」を示す手書入力コード“▲１▼”を入力する（ステップ７０３）。入力された手書入力コードは、編集制御装置１８を介して、記憶装置１７内のインデックスエントリＩ２の手書コード格納領域Ｉ２Ｃへ記憶される（ステップ７０４）。
【００４９】
この時、入力された手書入力コードは、手書コード再生装置１２を介して、表示中のインデックス画像へスーパーインポーズ表示されるので、ユーザは手書入力コード“▲１▼”が正しく入力されたことを確認することができる。
【００５０】
同様にして、指示入力装置１０より、２番目に再生する動画像データＶ１を参照しているインデックスエントリＩ１に対して編集する指示を編集制御装置１８へ入力すると、インデックスエントリＩ１が記憶装置１７より読み取られる。
【００５１】
そして、インデックスエントリＩ１のインデックス画像データ格納領域Ｉ１Ｐに格納されているインデックス画像データが画像表示装置１４に表示される。次に、手書コード入力装置１１より、「参照先の動画像データを２番目に再生する」を示す手書入力コード“▲２▼”を入力する。
【００５２】
入力された手書入力コードは、編集制御装置１８を介して、記憶装置１７内のインデックスエントリＩ１の手書コード格納領域Ｉ１Ｃへ記憶される。
【００５３】
以上によって、編集対象である動画像データＶ１，Ｖ２を参照しているインデックスエントリＩ１，Ｉ２への編集が完了したので、編集作業を終了する（ステップ７０５）。
【００５４】
次に、上述の編集操作によって編集された動画像データを再生する手順について、図８のフローチャートを参照して説明する。
【００５５】
指示入力装置１０より、編集制御装置１８へ再生を指示すると、編集制御装置１８は、「参照先の動画像データを最初に再生する」を示す手書入力コード２ａ１が手書コード格納領域に登録されているインデックスエントリを検索する。
【００５６】
この検索手順として、まず記憶媒体１７のインデックスエントリテーブルからインデックスエントリを登録番号０から順に１つずつ読み取る（ステップ８０２）。
【００５７】
ここで、インデックスエントリテーブルに登録されている全てのインデックスエントリの検索が完了した場合は、再生処理を終了する（ステップ８０１）。
【００５８】
また、読み出されたインデックスエントリの手書コード格納領域に手書入力コードが格納されていない場合、次の登録番号のインデックスエントリを対象にステップ８０１から繰り返す（ステップ８０３）。
【００５９】
次に、読み取ったインデックスエントリの手書コード格納領域に格納されている手書入力コードを手書コード判定装置１９に入力する（ステップ８０４）。
【００６０】
ここで、インデックスエントリに格納されていた手書入力コードが手書コード登録テーブルに登録されていない場合、次の登録番号のインデックスエントリを対象にステップ８０１から繰り返す（ステップ８０５）。
【００６１】
上記の検索手順によって、インデックスエントリＩ２の手書コード格納領域Ｉ２Ｃの手書入力コード  “▲１▼”が、手書コード登録テーブル１５の手書入力コード２ａ１と合致するので、手書入力コード２ａ１に対応する編集方法２ｂ１が手書コード登録テーブル１５より取得される（ステップ８０６）。
【００６２】
手書コード登録テーブル１５より取得された編集方法２ｂ１は、編集制御装置１８へ入力され（ステップ８０７）、編集制御装置１８では、編集方法２ｂ１に従って、インデックスエントリＩ２が参照している動画像データＶ２を再生する（ステップ８０８）。
【００６３】
ここで、インデックスエントリが参照している動画像データの取得は、インデックスエントリの動画像識別情報格納領域内のデータ識別コードを記録媒体１７へ指定することで行うことができる。
【００６４】
以上によって、動画像データＶ２が再生されている間に、編集制御装置１８は、「参照先の動画像データを２番目に再生する」を示す手書入力コード２ａ２が手書コード格納領域に登録されたインデックスエントリを検索する。
【００６５】
ステップ８０１からステップ８０５を実行することによって、インデックスエントリＩ１の手書コード格納領域Ｉ１Ｃの手書入力コード  “▲２▼”が、手書コード登録テーブル１５の手書入力コード２ａ２と合致するので、手書入力コード２ａ２に対応する編集方法２ｂ２が手書コード登録テーブル１５より取得される（ステップ８０６）。
【００６６】
取得された編集方法２ｂ２は、編集制御装置１８へ入力され（ステップ８０７）、編集方法２ｂ２に従って、編集制御装置１８では、動画像データＶ２の再生終了後にインデックスエントリＩ１が参照している動画像データＶ１を再生する（ステップ８０８）。
【００６７】
以上によって、素材の動画像データＶ１，Ｖ２のそれぞれより、動画像データＶ２，動画像データＶ１の順で再生する編集後の動画像データが得られる。
【００６８】
尚、本実施形態のおけるインデックスエントリのデータ構造としては、編集又は再生時にインデックス画像データ、手書入力コード、動画像識別情報が揃えば良いので、任意の構造を用いることができる。
【００６９】
例えば、インデックス画像データ、手書入力コード、動画像識別情報をそれぞれ別々のファイルとして、記憶装置１７に記憶しておき、編集または再生する際に必要なデータを各ファイルより逐次読み出せば良い。
【００７０】
その場合、手書入力コードを登録したインデックスエントリに対してのみ、手書コード格納領域を用意すれば良いので、記憶装置１７の記憶容量を節約することができる。
【００７１】
また、本実施形態では、動画像データの構成要素としてフレームのみを用いて説明したが、音声データ，文字データ等が付加されていても良いことは明かである。
【００７２】
さらに、本実施形態では、動画像データＶ２の再生途中に、次に再生する動画像データＶ１を検索しているが、上記の再生手順を実施する前に、予めインデックスエントリの手書入力コードに従った動画像データを新たに作成しておいても良い。
【００７３】
それにより、手書コード登録テーブルに登録されている編集方法をリアルタイムに実現できない装置を用いた場合であっても、本発明による編集方法を適用することが可能である。
【００７４】
以上詳述したように、本実施形態の動画像処理装置によれば、素材となる動画像データを参照するためのインデックス画像を１つずつ表示しながら、そのインデックス画像データに対し、手書き入力コードを登録することによって、動画像データを編集することができる。
【００７５】
従って、編集を行う際にインデックス画像を一覧表示する必要がなく、表示画面を有効に使用することが可能となる。また、利用者においても、編集を行う手書入力コードとして、記号などを使用することができるため、使いやすいインターフェースを実現することが可能となる。
【００７６】
次に、本発明の動画像処理装置の第２実施形態として、手書コード登録テーブルに、手書入力コードと動画像データの再生方法の参照関係を登録しておき、インデックスエントリの手書コード格納領域に、ユーザが所望する再生方式に対応した手書コードを登録すれば、インデックスエントリが参照している動画像データをユーザが所望する方法で再生することができる。
【００７７】
例えば、インデックスエントリが参照している動画像データに対し、その動画像データと同期して再生する音声データとして英語と日本語との２種類の音声データが用意されている場合、図９に示すような手書コード登録テーブルを用意し、ユーザが所望の再生方法に対応した手書入力コードを、前記インデックスエントリの手書コード格納領域へ登録することによって、インデックスエントリが参照している動画像データの再生時に、ユーザが所望する音声を再生することが可能となる。
【００７８】
さらに、本発明の動画像処理装置の第３実施形態として、手書コードより音声データ、静止画像データ、文字データ等の付加データが参照可能な手書コード登録テーブルを用意し、前記インデックスエントリの手書コード格納領域に、前記付加データが参照可能な手書入力コードを格納することで、インデックスエントリが参照している動画像データの再生タイミングに合わせて、前記付加データを動画像データと同期して再生することができる。
【００７９】
例えば、動画像データにおいて、ユーザが所望する場面で効果音を挿入したい場合、図１０に示すような手書コード登録テーブルを用意し、文字データを挿入したい動画像を参照しているインデックスエントリの手書コード格納領域へ、手書入力コード“☆”を登録することで、前記動画像データ再生時に動画像データの再生と同期して文字データを表示することが可能となる。
【００８０】
【発明の効果】
本願請求項１に係る動画像処理装置によれば、素材となる動画像データを参照するためのインデックス画像を１つずつ表示しながら、そのインデックス画像データに対し、入力コードを登録することによって、動画像データを編集することができるので、編集を行う際にインデックス画像を一覧表示する必要がなく、表示画面を有効に使用することが可能となる。
【００８１】
また、利用者においても、編集を行う入力コードとして、記号などを使用することができるため、使いやすいインターフェースを実現することが可能である。
【００８２】
本願請求項２に係る動画像処理装置によれば、再生方法を参照できる入力コードを、素材となる動画像データを参照するためのインデックス画像データに登録することによって、インデックス画像データが参照している動画像データをユーザが所望する再生方法で再生することが可能となる。
【００８３】
本願請求項３に係る動画像処理装置によれば、音声データ，静止画像データ，文字データ等の付加データを参照できる手書きコードを、素材となる動画像データを参照するためのインデックス画像データに登録することによって、前記付加データを動画像データに同期して再生することが可能となる。
【００８４】
本願請求項４に係る動画像処理装置によれば、ユーザ自身が編集方式を想起しやすい入力コードを登録することができるため、それを用いて動画像データの編集が可能となり、ユーザによる編集作業を容易なものとすることができる。また、本願請求項５に係る動画像処理装置によれば、インデックス画像の画像データ、動画像データ、及び手書きコード入力装置によって入力された手書き入力コードを記憶し、再生した画像を画像表示装置に切り替えて表示可能としているので、それぞれを画像表示装置上で確認することができる。更に、本願請求項６に係る動画像処理装置によれば、インデックス画像の画像データの再生画像上に手書き入力コードの再生画像をスーパーインポーズする構成としたので、ユーザは、インデックス画像の画像データの再生画像上で手書き入力コードが正しく入力されたことを確認することができる。
【図面の簡単な説明】
【図１】本発明の第１実施形態の概略構成を示すブロック図である。
【図２】本発明の第１実施形態における手書コード登録テーブルを示す説明図である。
【図３】本発明の第１実施形態で用いる動画像データの構造を示す説明図である。
【図４】本発明の第１実施形態におけるインデックスエントリの構造を示す説明図である。
【図５】本発明の第１実施形態におけるインデックスエントリテーブルの構造を示す説明図である。
【図６】本発明の第１実施形態によって編集される動画像データとインデックスエントリとの関係及び構造を示す説明図である。
【図７】本発明の第１実施形態による動画像データの編集手順を示すフローチャートである。
【図８】本発明の第１実施形態によって編集された動画像データの再生手順を示すフローチャートである。
【図９】本発明の第２実施形態における手書コード登録テーブルを示す説明図である。
【図１０】本発明の第３実施形態における手書コード登録テーブルを示す説明図である。
【図１１】動画像データの構成単位を示す説明図である。
【符号の説明】
１０  指示入力装置
１１  手書コード入力装置
１２  手書コード再生装置
１３  インデックス画像再生装置
１４  画像表示装置
１５  手書コード登録テーブル
１６  動画像再生装置
１７  記憶装置
１８  編集制御装置
【図１】
0003626080.tif 000002
【図２】
0003626080.tif 000003
【図３】
0003626080.tif 000004
【図４】
0003626080.tif 000005
【図５】
0003626080.tif 000006
【図６】
0003626080.tif 000007
【図７】
0003626080.tif 000008
【図８】
0003626080.tif 000009
【図９】
0003626080.tif 000010
【図１０】
0003626080.tif 000011
【図１１】
0003626080.tif 000012